(57)【要約】【課題】ヒートシンクを介して上下方向に器具本体と電源ユニットとが並べて配置される照明器具に比べて照明器具を薄型に構成することができ、より狭いスペース（天井裏スペース）に設置することができる照明器具を提供することを課題とする。【解決手段】ＬＥＤモジュール１２（光源）を備える器具本体１０と、ＬＥＤモジュール１２に給電を行い点灯させる電源ユニット２０と、ＬＥＤモジュール１２と電源ユニット２０とが取付けられる支持部材３０とを備え、ＬＥＤモジュール１２は、支持部材３０の一方の端部側の一方の表面に配置され、電源ユニット２０は、支持部材３０の他方の端部側に配置され、電源ユニット２０は、器具本体１０の側方に並べるように配置される、照明器具１とする。【選択図】図１
2015050008.tif 000002
【特許請求の範囲】
【請求項１】
光源を備える器具本体と、
前記光源に給電を行い点灯させる電源ユニットと、
前記光源と前記電源ユニットとが取付けられる支持部材とを備え、
前記光源は、前記支持部材の一方の端部側の一方の表面に配置され、
前記電源ユニットは、前記器具本体の側方に並べるように配置される、
照明器具。
【請求項２】
前記光源は、前記電源ユニットの電源回路が配置されるケースの底板よりも上方に配置される、
請求項１に記載の照明器具。
【請求項３】
前記支持部材は、前記器具本体の一部として構成されるとともに前記電源ユニットの一部として構成される、
請求項１または請求項２に記載の照明器具。
【請求項４】
前記支持部材は、熱伝導性を有する、
請求項１から請求項３のいずれか一項に記載の照明器具。
【請求項５】
前記支持部材は、前記光源が配置される光源配置部と、前記配置部から側方に突出す突出部と、を有する、
請求項１から請求項４のいずれか一項に記載の照明器具。
【請求項６】
前記突出部は、前記配置部から側方への突出側端部から、前記側方への突出方向と交差する方向にさらに突出するように構成される、
請求項５に記載の照明器具。
【発明の詳細な説明】
【技術分野】
【０００１】
本発明は、照明器具の技術に関する。
【背景技術】
【０００２】
従来、天井等の取付面の取付孔に埋め込まれるようにして配置された状態で使用される埋込型の照明器具に関する技術は種々知られている。
【０００３】
前記照明器具には、器具本体と、電源ユニットと、を備えるものが公知となっている（特許文献１参照）。
前記照明器具の器具本体は、金属板、光源（例えば、ＬＥＤモジュール）、および、反射部材等を備え、光源、および、反射部材等が、金属板に取付けられて構成される。
前記照明器具の電源ユニットは、ケース内に電源回路が配置されて構成され、光源に給電を行い光源を点灯させる。
【先行技術文献】
【特許文献】
【０００４】
【特許文献１】特開２０１２−４８９６９号公報
【発明の概要】
【発明が解決しようとする課題】
【０００５】
しかしながら、前記照明器具は、照明器具を動作させた際に光源および電源ユニットから熱が生じることから、ヒートシンク（複数のフィンが立った周知の放熱部品）を備えて、光源および電源ユニットから生じる熱をヒートシンクによって放熱させる。
そして、前記照明器具では、独立部品としてのヒートシンクの下方に器具本体を配置し、当該ヒートシンクの上方に電源モジュールが配置される。
前記照明器具では、このようにヒートシンクを介して上下方向に器具本体と電源ユニットとが並べて配置されることから、照明器具全体の厚みが厚く（照明器具の高さが高く）なり、狭いスペース（天井裏のスペース）に設置することができない場合があった。
【０００６】
本発明は以上の如き状況に鑑みてなされたものであり、ヒートシンクを介して上下方向に器具本体と電源ユニットとが並べて配置される照明器具に比べて照明器具を薄型に構成することができ、より狭いスペースに設置することができる照明器具を提供することを課題とする。
【課題を解決するための手段】
【０００７】
本発明の解決しようとする課題は以上の如くであり、次にこの課題を解決するための手段を説明する。
【０００８】
即ち、本願に開示する照明器具は、光源を備える器具本体と、前記光源に給電を行い点灯させる電源ユニットと、前記光源と前記電源ユニットとが取付けられる支持部材とを備え、前記光源は、前記支持部材の一方の端部側の一方の表面に配置され、前記電源ユニットは、前記器具本体の側方に並べるように配置される、照明器具としたものである。
【０００９】
本願に開示する照明器具は、上記構成を基本として、以下のような態様をとることができる。
本願に開示する照明器具は、前記光源は、前記電源ユニットの電源回路が配置されるケースの底板よりも上方に配置される、とすることが好ましい。
【００１０】
本願に開示する照明器具は、前記支持部材は、前記器具本体の一部として構成されるとともに前記電源ユニットの一部として構成される、とすることが好ましい。
【００１１】
本願に開示する照明器具は、前記支持部材は、熱伝導性を有する、とすることが好ましい。
【００１２】
本願に開示する照明器具は、前記支持部材は、前記光源が配置される光源配置部と、前記配置部から側方に突出す突出部と、を有する、とすることが好ましい。
【００１３】
本願に開示する照明器具は、前記突出部は、前記配置部から側方への突出側端部から、前記側方への突出方向と交差する方向にさらに突出するように構成される、とすることが好ましい。
【発明の効果】
【００１４】
本発明の効果として、以下に示すような効果を奏する。
即ち、本発明によれば、ヒートシンクを介して上下方向に器具本体と電源ユニットとが並べて配置される照明器具に比べて照明器具を薄型にすることができ、より狭い天井裏スペースに設置することができる。
【図面の簡単な説明】
【００１５】
【図１】本発明の実施形態に係る照明器具を示す正面図。
【図２】同じく照明器具を示す側面図。
【図３】同じく照明器具を示す平面図。
【図４】同じく照明器具を示す模式図。
【図５】同じく照明器具の支持部材を示す斜視図。
【図６】同じく照明器具の支持部材を示す正面図。
【図７】同じく照明器具の支持部材を示す平面図。
【図８】同じく照明器具の支持部材を示す側面図。
【図９】同じく照明器具の支持部材を示す斜視図。
【図１０】同じく照明器具を示す模式図。
【図１１】同じく照明器具を示す模式図。
【図１２】同じく照明器具を示す模式図。
【図１３】同じく照明器具を示す模式図。
【図１４】同じく照明器具を示す模式図。
【図１５】同じく照明器具を示す模式図。
【発明を実施するための形態】
【００１６】
次に、本発明の実施の形態に係る照明器具１について説明する。
【００１７】
図１から図１２に記載の照明器具１について説明する。
図１に示すように、照明器具１は、埋込型の照明器具１であり、天井等の取付面の取付孔Ｈに一部が埋め込まれるようにして配置された状態で使用される。
なお以下において、照明器具１が取付孔Ｈに配置された状態において、取付面に対して鉛直方向を照明器具１の上下方向として、照明器具１の光の照射方向を照明器具１の下方、その反対側を照明器具１の上方とし、照明器具１の上下方向に対して垂直方向を照明器具１の側方として説明する。
図１乃至図４に示すように、照明器具１は、器具本体１０と、電源ユニット２０と、支持部材３０と、を備える。
【００１８】
器具本体１０は、金属板１１と、ＬＥＤモジュール１２（光源）と、反射部材１３と、一対の取付バネ１４・１４と、を備える。
【００１９】
金属板１１は、ＬＥＤモジュール１２、反射部材１３、および、取付バネ１４が配置される。なお、本実施の形態における金属板１１はあくまで一例であって、少なくともＬＥＤモジュール１２などを保持することができるとともに熱伝導性があれば、「金属」及び「板」には限定されない。
【００２０】
照明器具１の器具本体１０の金属板１１は、ＬＥＤモジュール１２、反射部材１３、および、取付バネ１４が配置されて構成される。
【００２１】
ＬＥＤモジュール１２は、ＬＥＤ（発光ダイオード）が回路基板に配置されて、照明器具１の光源として構成される。本実施の形態では、一例として、回路基板上に直接ＬＥＤ素子と黄色蛍光体とを形成したＣＯＢ（ｃｈｉｐ  ｏｎ  ｂｏａｒｄ）タイプのＬＥＤモジュールを採用した。
ＬＥＤモジュール１２は、金属板１１に取付けられる。
なお、本実施の形態では、光源の一例としてＬＥＤを採用したが、有機ＥＬ（Ｅｌｅｃｔｒｏ−Ｌｕｍｉｎｅｓｃｅｎｃｅ）素子など他の光源を用いてもよい。また、光源は、回路基板にＬＥＤを実装したＬＥＤモジュールに限らず、ＬＥＤ単体や、ＬＥＤを用いた電球などを含む。
【００２２】
反射部材１３は、反射板であり、ＬＥＤモジュール１２のＬＥＤから出る光を反射する。
反射部材１３は、金属板１１に取付けられる。
【００２３】
取付バネ１４は、取付孔Ｈに照明器具１が埋め込まれた状態において、取付バネ１４の弾性力によって取付孔Ｈの周囲の天井部分に照明器具１を固定する。
取付バネ１４は、金属板１１に取付けられる。
【００２４】
電源ユニット２０は、ケース２１内に電源回路２２が配置されて構成され、ＬＥＤモジュール１２に給電を行いＬＥＤモジュール１２のＬＥＤを点灯させる。
電源ユニット２０は、端子台が設けられて、照明器具１を取付孔Ｈに配置した状態で、外部電源と電気的に接続される。電源ユニット２０は、器具本体１０のＬＥＤモジュール１２と、電線２３によって電気的に接続される。
ケース２１は、底板２１ａと四個の側板２１ｂと天板２１ｃとを有し、六面体状に構成される。底板２１ａは、電源回路２２の下方を覆う。側板２１ｂは、電源回路２２の側方を覆う。天板２１ｃは、電源回路２２の上方を覆う。
【００２５】
支持部材３０は、器具本体１０と電源ユニット２０とを支持する。支持部材３０は、ＬＥＤモジュール１２と電源ユニット２０とが取付けられるように構成される。
図１乃至図８に示すように、支持部材３０は、器具本体１０の一部として構成されるとともに電源ユニット２０の一部（ケース２１の一部）として構成される。
照明器具１では、器具本体１０と電源ユニット２０とが、支持部材３０を介して互いに取付けられる。照明器具１では、器具本体１０と電源ユニット２０とが、支持部材３０を介して一体的に構成される。
支持部材３０は、光源配置部３１と、突出部３２と、貫通孔３３と、ケース部３４と、を有する。
【００２６】
光源配置部３１は、支持部材３０の一方の端部側の一部として構成される。
光源配置部３１は、光源配置部３１の一方の表面（下面）にＬＥＤモジュール１２が取付けられるように構成される。
【００２７】
突出部３２は、光源配置部３１に連接される。
突出部３２は、光源配置部３１から側方に突出する。
突出部３２は、支持部材３０の一方の端部側の一部として構成される。
突出部３２は、突出部３２の一方の表面（下面）に反射部材１３が取付けられるように構成される。
【００２８】
貫通孔３３は、ＬＥＤモジュール１２と電源ユニット２０とを接続する電線２３が挿通されるように構成される。
【００２９】
ケース部３４は、光源配置部３１に連接される。
ケース部３４は、光源配置部３１から側方に突出する。
ケース部３４は、支持部材３０の他方の端部側として構成される。
ケース部３４は、電源ユニット２０が取付けられるように構成される。
【００３０】
照明器具１では、光源配置部３１と突出部３２とが金属板１１として構成されて、器具本体１０の一部として構成される。照明器具１では、ケース部３４が、ケース２１のうち少なくとも底板２１ａとして構成されて、電源ユニット２０の一部（ケース２１の一部）として構成される。
照明器具１では、光源配置部３１と突出部３２とが支持部材３０の一方の端部側として構成され、ケース部３４が支持部材３０の他方の端部側として構成される。
照明器具１は、独立部品としてのヒートシンク（複数のフィンが立った周知の放熱部品）を省略した（ヒートシンクを独立部品として有さない）構成とされる。つまり、本実施の形態の照明器具１は、支持部材３０で放熱性を確保することで、独立部品としてのヒートシンクを省略することができる構成である。
【００３１】
以上のように、器具本体１０の一部（金属板１１）として構成されるとともに電源ユニット２０の一部（ケース２１の一部）として構成されて器具本体１０と電源ユニット２０とを支持する支持部材３０を備える照明器具１では、独立部品としてのヒートシンクを介さずに器具本体１０と電源ユニット２０とが支持部材３０によって支持される。
つまり、照明器具１では、従来の照明器具が備えるヒートシンクを省略することができる。
したがって、照明器具１によれば、ヒートシンクを備えるものに比べて部品点数を削減するとともに組立工数を削減することができる。
また、照明器具１によれば、ヒートシンクを備えるものに比べて薄型に構成することができ、より狭いスペース（天井裏のスペース）に設置することができる。
【００３２】
支持部材３０は、熱伝導性を有する例えば金属素材で構成されることが好ましい。支持部材３０は、放熱性を有することが好ましい。支持部材３０は、本実施形態では一例としてアルミニウム合金素材で構成される。
支持部材３０は、ＬＥＤモジュール１２および電源ユニット２０から生ずる熱を放熱する。
【００３３】
以上のように、ＬＥＤモジュール１２（光源）が光源配置部３１（支持部材３０の一方の端部側）の一方の表面に配置され、電源ユニット２０がケース部３４（支持部材３０の他方の端部側）に配置され、支持部材３０が熱伝導性を有する照明器具１では、ヒートシンクを省略しても、ＬＥＤモジュール１２および電源ユニット２０から生ずる熱を支持部材３０によって放熱することができる。
したがって、照明器具１によれば、放熱性を確保しつつ、ヒートシンクを備えるものに比べて部品点数を削減するとともに組立工数を削減することができる。
また、照明器具１によれば、放熱性を確保しつつ、ヒートシンクを備えるものに比べて薄型に構成することができ、より狭いスペース（天井裏のスペース）に設置することができる。
なお、照明器具１では、鉄板金（鉄を主たる成分とされる素材の板金）で支持部材３０を構成することもできる。
【００３４】
光源配置部３１は、光源配置部３１の一方の表面（下面）に凹部３５を有する。
凹部３５は、光源配置部３１の下面側が凹状に（光源配置部３１の上面側が凸状に）形成されて構成される。
凹部３５は、底部３５ａと側部３５ｂとを有する。
凹部３５は、底部３５ａ（底部３５ａ下面）にＬＥＤモジュール１２が取付けられて、凹部３５の内側にＬＥＤモジュール１２が配置されて構成される。
凹部３５（前記凹状に形成される空間内）は、底部３５ａ側（上方）に行くに従って側部３５ｂの直径が短くなるような略円錐台状に構成される。
なお、ＬＥＤモジュール１２は、底部３５ａの下面に接していることにより、ＬＥＤから発する熱が支持部材３０に伝わりやすく、ＬＥＤの温度上昇を抑えることができるため、好ましい。一方で、ＬＥＤモジュール１２と支持部材３０とを電気的に絶縁（雷サージ対策等）するために、ＬＥＤモジュール１２と底部３５ａの下面との間に絶縁シートなどの絶縁物を配置したり、ＬＥＤモジュール１２と底部３５ａとの間に空隙を設けるために底部３５ａに窪みを設けたりしてもよい。ＬＥＤモジュール１２と底部３５ａの下面との間を電気的に絶縁した場合は、ＬＥＤモジュール１２が底部３５ａの下面に接している構成に比べて、放熱性は劣る。
【００３５】
以上のように、支持部材３０が光源配置部３１（支持部材３０の一方の端部側）の一方の表面（下面）に凹部３５を有し、ＬＥＤモジュール１２（光源）が凹部３５の内側に配置される、照明器具１では、凹部３５を有さないものに比べて支持部材３０の表面積を大きく（側部３５ｂの分表面積を大きく）構成することができる。
したがって、照明器具１によれば、凹部３５を有さないものに比べて、支持部材３０における器具本体１０側の表面積を大きく構成して、支持部材３０における器具本体１０側の放熱性を向上させることができる。
【００３６】
また以上のように、ＬＥＤモジュール１２のＬＥＤ（光源）から出る光を反射する反射部材１３を備え、反射部材が突出部３２の（支持部材３０の一方の端部）の一方の表面（下面）に配置される、照明器具１では、ＬＥＤモジュール１２のＬＥＤ（光源）から出る光りを任意の方向に反射させることができる。
【００３７】
照明器具１の支持部材３０は、プレス成形されて形成することができる。具体的には、まず平板状のアルミニウム合金の素材を、支持部材３０の展開形状に打ち抜く。次に、打ち抜いた素材を所定の金型にセットしてプレス機で塑性加工する。金型は、予め光源配置部３１及び側板３４ｂなどを成形できる形状に作られているため、プレス機で塑性加工することで図９に示す形状の支持部材３０を作製することができる。
【００３８】
以上のように支持部材３０がプレス成形されて形成される照明器具１では、支持部材３０の量産性を優れたものとすることができる。
なお、照明器具１では、プレス成形に限らず、ダイキャスト成形など他の成形方法を用いて支持部材３０を形成することもできる。
【００３９】
突出部３２は、側部３５ｂの外周（外周の一部）を囲むように構成され、側部３５ｂ下端縁から側方に突出する。
突出部３２は、フランジ状に構成される。
【００４０】
以上のように、支持部材３０が光源配置部３１から側方に突出するように構成される突出部３２を有して構成される照明器具１では、突出部３２を有さないものに比べて支持部材３０の表面積を大きく構成することができる。
したがって、照明器具１によれば、突出部３２を有さないものに比べて、支持部材３０における器具本体１０側の表面積を大きく構成して、支持部材３０における器具本体１０側の放熱性を向上させることができる。
【００４１】
ケース部３４は、光源配置部３１（光源配置部３１における突出部３２が設けられていない部分）から側方（水平方向）に突出する。
ケース部３４は、底板部３４ａと側板部３４ｂとを一体的に備える。
ケース部３４は、底板部３４ａが底板２１ａとして構成され、側板部３４ｂが側板２１ｂとして構成されて、電源ユニット２０の一部（ケース２１の一部）として構成される。
ケース部３４は、側板部３４ｂが底板部３４ａに連接されるようにして、底板部３４ａと側板部３４ｂとが一体的に構成される。
底板部３４ａは、光源配置部３１から突出する方向が長手方向となるような平面視で長方形に形成される。底板部３４ａは、電源回路２２の下方を覆う。
側板部３４ｂは、底板部３４ａの長手側両縁部から上方に突出する。側板部３４ｂは、電源回路２２の側方を覆う。
【００４２】
以上のように、ケース部３４が電源回路２２の下方を覆う底板部３４ａおよび電源回路２２の側方を覆う側板部３４ｂを一体的に備える照明器具１では、底板２１ａと側板２１ｂとのうちいずれか一方のみとしてケース部３４が構成されるものに比べて、ケース部３４（支持部材３０における電源ユニット２０側）の表面積を大きく構成することができる。
したがって、照明器具１によれば、底板２１ａと側板２１ｂとのうちいずれか一方のみとしてケース部３４が構成されるものに比べて、支持部材３０における電源ユニット２０側の表面積を大きく構成して、支持部材３０における電源ユニット２０側の放熱性を向上させることができる。
【００４３】
ケース部３４は、底板部３４ａが底板２１ａとして構成され、側板部３４ｂが側板２１ｂとして構成されて、底板部３４ａと側板部３４ｂとで電源ユニット２０の電源回路２２（ケース２１内の電源回路２２）の下方と側方とを囲む。
【００４４】
以上のように、ケース部３４が、底板部３４ａと側板部３４ｂとで電源回路２２の下方と側方とを囲む照明器具１では、ケース部３４によって、ケース２１内で生じた熱を下方から放熱することに加えて側方からも放熱することができる。
したがって、照明器具１によれば、ケース部３４によって電源回路２２の下方と側方とが囲まれないものに比べて、支持部材３０における電源ユニット２０側の放熱性を向上させることができる。
【００４５】
電源ユニット２０は、器具本体１０の側方（水平方向）に並べるように配置される。
電源ユニット２０は、側面視で器具本体１０と重なるように配置される。
【００４６】
以上のように、器具本体１０の側方に並べるように電源ユニット２０が配置される照明器具１では、従来のヒートシンクを介して上下方向に器具本体１０と電源ユニット２０とが並べて配置されるものに比べて、照明器具１全体の厚みを薄く（照明器具１の高さを低く）構成することができる。
したがって、照明器具１によれば、ヒートシンクを介して上下方向に器具本体１０と電源ユニット２０とが並べて配置されるものに比べて薄型に構成することができ、より狭いスペース（天井裏のスペース）に設置することができる。
【００４７】
ＬＥＤモジュール１２は、底板部３４ａよりも上方に位置するように配置される。ＬＥＤモジュール１２は、底板２１ａよりも上方に配置される。
ＬＥＤモジュール１２は、側板部３４ｂの上端よりも下方に位置するように配置される。ＬＥＤモジュール１２は、天板２１ｃよりも下方に配置される。
【００４８】
以上のように、底板２１ａよりも上方にＬＥＤモジュール１２が配置される照明器具１では、従来のヒートシンクの上方に器具本体１０が配置されるとともにヒートシンクの下方に電源ユニット２０が並べて配置されるものに比べて、照明器具１全体の厚みを薄く（照明器具１の高さを低く）することができる。
したがって、照明器具１によれば、ヒートシンクの上方に器具本体１０が配置されるとともにヒートシンクの下方に電源ユニット２０が並べて配置されるものに比べて薄型に構成することができ、より狭いスペース（天井裏のスペース）に設置することができる。
【００４９】
貫通孔３３は、底部３５ａを貫通（底部３５ａの上面から下面に貫通）するように形成される。
貫通孔３３は、光源配置部３１におけるケース部３４側縁部に配置される。
【００５０】
以上のように、貫通孔３３が底部３５ａを貫通するように形成される照明器具１では、底部３５ａに作業者の手が接触して摺動することなく、ＬＥＤモジュール１２と電源ユニット２０とを接続する電線２３を貫通孔３３に挿通することができる。
したがって、照明器具１によれば、貫通孔３３が底部３５ａを貫通するように形成されないものに比べて、電線２３を貫通孔３３に挿通するときの作業性を向上させることができる。
なお、照明器具１では、側部３５ｂを貫通（側部３５ｂの外面から内面に貫通）するように貫通孔３３を形成することもできる（図９参照）。
【００５１】
凹部３５は、その凹状に窪む方向（上下方向）と平行するように側部３５ｂが構成されて、比較的円柱状に近似するように構成されることによって、底部３５ａの表面積を比較的大きく構成することもできる。
このように、凹部３５における凹状に窪む方向と平行するように側部３５ｂが構成される照明器具１では、底部３５ａの表面積を比較的大きく構成することができ、支持部材３０における器具本体１０側の放熱性を向上させることができる。
【００５２】
支持部材３０は、表面に複数個の溝や凹凸などを有することもできる。
このように、支持部材３０が表面に複数個の溝や凹凸などを有する照明器具１では、表面に複数個の溝や凹凸などを有さないものに比べて、表面積を広くすることができるため放熱性を向上させることができる。特に、最も高温になりやすい底部３５ａの上側の面に溝や凹凸を有する構成とすることにより、ＬＥＤの温度上昇を効果的に抑制することができる。
【００５３】
なお、図１０に示すように、照明器具１は、光源配置部３１（光源配置部３１の上面）に、ヒートシンク４０を配置することもできる。
また、図１１に示すように、照明器具１は、光源配置部３１（光源配置部３１の上面）に、冷却ファン５０を配置することもできる。
また、図１２に示すように、照明器具１は、光源配置部３１（光源配置部３１の上面）に、ヒートシンク４０と冷却ファン５０とを配置することもできる。
【００５４】
次に、図１３から図１４に記載の照明器具１について説明する。
なお、図１３から図１４に記載の照明器具１の説明は、図１から図１２に記載の照明器具１と同様の構成の部分については適宜省略し、図１から図１２に記載の照明器具１の構成と異なる部分を中心に説明する。
【００５５】
図１３及び図１４に示す突出部３２は、前記突出部３２における光源配置部３１から側方への突出側端部（外側端部）から、前記側方へ突出方向と交差する方向にさらに突出する。
例えば、図１３に示す突出部３２は、前記光源配置部３１から側方への突出側端部から、上方にさらに突出する。
また例えば、図１４に示す突出部３２は、前記光源配置部３１から側方への突出側端部から、下方にさらに突出する。
【００５６】
以上のように、突出部３２が、前記光源配置部３１から側方への突出側端部から、前記側方への突出方向と交差する方向にさらに突出する照明器具１によれば、前記側方への突出側端部からさらに突出しないように構成される突出部３２を備えるものに比べて、支持部材３０の表面積を大きく構成することができる。
したがって、照明器具１によれば、前記側方への突出側端部からさらに突出しないように構成される突出部３２を備えるものに比べて、支持部材３０における器具本体１０側の表面積を大きく構成して、支持部材３０における器具本体１０側の放熱性をさらに向上させることができる。
【００５７】
次に、図１５に記載の照明器具１について説明する。
なお、図１５に記載の照明器具１の説明は、図１から図１２または図１３から図１４に記載の照明器具１と同様の構成の部分については適宜省略し、図１から図１２または図１３から図１４に記載の照明器具１の構成と異なる部分を中心に説明する。
【００５８】
図１５に示すように、照明器具１では、ケース部３４が、ケース２１のうち少なくとも天板２１ｃとして構成されて、電源ユニット２０の一部（ケース２１の一部）として構成される。
ケース部３４は、天板部３４ｃと側板部３４ｂとを一体的に備える。
ケース部３４は、天板部３４ｃが天板２１ｃとして構成され、側板部３４ｂが側板２１ｂとして構成されて、電源ユニット２０の一部（ケース２１の一部）として構成される。
ケース部３４は、側板部３４ｂが天板部３４ｃに連接されるようにして、天板部３４ｃと側板部３４ｂとが一体的に構成される。
天板部３４ｃは、光源配置部３１から突出する方向が長手方向となるような平面視で長方形に形成される。天板部３４ｃは、電源回路２２の上方を覆う。
側板部３４ｂは、天板部３４ｃの長手側両縁部から下方に突出する。側板部３４ｂは、電源回路２２の側方を覆う。
【００５９】
以上のように、ケース部３４が電源回路２２の上方を覆う天板部３４ｃおよび電源回路２２の側方を覆う側板部３４ｂを一体的に備える照明器具１では、天板２１ｃと側板２１ｂとのうちいずれか一方のみとしてケース部３４が構成されるものに比べて、ケース部３４（支持部材３０における電源ユニット２０側）の表面積を大きく構成することができる。
したがって、照明器具１によれば、天板２１ｃと側板２１ｂとのうちいずれか一方のみとしてケース部３４が構成されるものに比べて、支持部材３０における電源ユニット２０側の表面積を大きく構成して、支持部材３０における電源ユニット２０側の放熱性を向上させることができる。
【００６０】
ケース部３４は、天板部３４ｃが電源ユニット２０のケース２１の天板２１ｃとして構成されて、天板部３４ｃが電源回路２２（ケース２１内の電源回路２２）よりも少なくとも上方に位置する。ケース２１内の熱せられた空気は、比重が小さいため上方に移動する。上方に移動した空気は、ケース部３４に接することで、その空気が持つ熱がケース部３４に伝わる。ケース部３４に伝わった熱は、ケース部３４よりも低温の外側空気に伝わる。これにより、電気回路２２及びケース部３４の温度上昇を抑えることができる。
【００６１】
以上のように、ケース部３４が電源回路２２よりも少なくとも上方に配置されて電源ユニット２０の一部として構成される照明器具１では、ケース２１内の熱せられた空気が上方に移動することから、ケース部３４が電源回路２２の下方に位置するものに比べて、ケース２１内の温度上昇が抑制されることとなる。
したがって、照明器具１によれば、ケース部３４が電源回路２２の下方に位置するものに比べて、支持部材３０における電源ユニット２０側の放熱性を向上させることができる。
【００６２】
ケース部３４は、天板部３４ｃが天板２１ｃとして構成され、側板部３４ｂが側板２１ｂとして構成されて、天板部３４ｃと側板部３４ｂとで電源回路２２（ケース２１内の電源回路２２）の上方と側方とを囲む。
【００６３】
以上のように、ケース部３４が、天板部３４ｃと側板部３４ｂとで電源回路２２の上方と側方とを囲む照明器具１では、ケース部３４によって、ケース２１内で生じた熱を上方から放熱することに加えて側方からも放熱することができる。
したがって、照明器具１によれば、のケース部３４によって電源回路２２の上方と側方とが囲まれないものに比べて、支持部材３０における電源ユニット２０側の放熱性を向上させることができる。
【符号の説明】
【００６４】
１      照明器具
２      取付孔
１０    器具本体
１１    金属板
１２    ＬＥＤモジュール
１３    反射部材
２０    電源ユニット
２１    ケース
２１ａ  底板
２１ｂ  側板
２１ｃ  天板
２２    電源回路
３０    支持部材
３１    光源配置部
３２    突出部
３４    ケース部
３４ａ  底板部
３４ｂ  側板部
３４ｃ  天板部
【図１】
2015050008.tif 000003
【図２】
2015050008.tif 000004
【図３】
2015050008.tif 000005
【図４】
2015050008.tif 000006
【図５】
2015050008.tif 000007
【図６】
2015050008.tif 000008
【図７】
2015050008.tif 000009
【図８】
2015050008.tif 000010
【図９】
2015050008.tif 000011
【図１０】
2015050008.tif 000012
【図１１】
2015050008.tif 000013
【図１２】
2015050008.tif 000014
【図１３】
2015050008.tif 000015
【図１４】
2015050008.tif 000016
【図１５】
2015050008.tif 000017